(57)【要約】【課題】  レーザ走査装置のハウジングのカバーにおける振動を抑制し、レーザ走査光学系における振動が原因となる描画品質の低下や同期ずれの発生等を防止する。【解決手段】  レーザ走査光学系４，５，６，７，８，９を内装したフレーム２と、フレーム２の開口を覆うように固定されるカバー３とで構成されたレーザ走査装置のハウジング１であって、フレーム２とカバー１との間に両者間での振動の伝達を防止するためのカバー防振構造として、弾性ワッシャ２７を介挿して取付ネジ２６で固定する。レーザ走査光学系のポリゴンミラー６１が回転駆動した際に生じる振動によりフレーム２が振動することを抑制するとともに、フレーム２からカバー３へ伝達する振動によってカバー３が大きく振動されることを防止し、かつカバー３からフレーム２への振動の伝達を防止し、描画品質の低下や同期ずれの発生等を防止した信頼性の高いレーザ走査装置が得られる。【選択図】  図１
2008261963.tif 000002
【特許請求の範囲】
【請求項１】
少なくともレーザ走査光学系を内装したフレームと、前記フレームの開口を覆って前記フレームに固定されるカバーとで構成されたハウジングを備えるレーザ走査装置において、前記フレームと前記カバーとの間に両者間での振動の伝達を防止するためのカバー防振構造を介挿したことを特徴とするレーザ走査装置のハウジング。
【請求項２】
前記カバー防振構造は弾性材で構成され、前記カバーは当該弾性材を介して前記フレームに固定されていることを特徴とする請求項１に記載のレーザ走査装置のハウジング。
【請求項３】
前記弾性材は少なくとも２つの弾性部材で前記カバーを板厚方向に挟持し、一方の弾性部材を前記フレームに当接させ、他方の弾性部材を前記フレームに螺合される取付ネジに当接させていることを特徴とする請求項２に記載のレーザ走査装置のハウジング。
【請求項４】
前記カバーと前記フレームとの間に微小間隔が存在することを特徴とする請求項１ないし３のいずれかに記載のレーザ走査装置のハウジング。
【請求項５】
前記カバーの周縁部を曲げ加工した曲げ部で前記フレームの周縁部を外側から覆うことを特徴とする請求項４に記載のレーザ走査装置のハウジング。
【請求項６】
前記フレームの周縁部に設けたフランジで前記カバーの前記曲げ部を外側から覆うことを特徴とする請求項５に記載のレーザ走査装置のハウジング。
【請求項７】
前記レーザ走査光学系から前記ハウジング外にレーザ光を出射させるためのスリットが前記フレームに開口されていることを特徴とする請求項１ないし６のいずれかに記載のレーザ走査装置のハウジング。
【請求項８】
前記レーザ走査光学系から前記ハウジング外にレーザ光を出射させるためのスリットが前記カバーに開口されていることを特徴とする請求項１ないし６のいずれかに記載のレーザ走査装置のハウジング。
【請求項９】
前記レーザ走査光学系は、モータ及び当該モータを駆動源として高速回転されるポリゴンミラーを含むポリゴンミラー構体と、前記ポリゴンミラーで反射されたレーザ光を透過させる光学レンズと、光学レンズを透過したレーザ光をハウジングに設けたスリットを通して外部に向けて反射する走査用反射ミラーを含み、前記ポリゴンミラー構体を防振構造を介して前記フレームに搭載していることを特徴とする請求項１ないし８のいずれかに記載のレーザ走査装置のハウジング。
【発明の詳細な説明】
【技術分野】
【０００１】
本発明はレーザ走査装置に関し、特にレーザ走査装置のハウジング構造に関するものである。
【背景技術】
【０００２】
レーザ走査装置は、レーザダイオード等の半導体レーザ素子をレーザ光源とし、このレーザ光源から出射されたレーザ光をレーザ走査光学系によって偏向させ、偏向したレーザ光を感光ドラム等の感光面に投射して主走査及び副走査を行うことにより所望の描画を行っている。近年、レーザ走査光学系の構成部材、すなわちポリゴンミラー、光学レンズ、光学ミラー等の部材を一つのハウジング内に収納してレーザ走査ユニットとして構成することが行われている。ハウジングは浅皿状をしたフレームと、このフレームの上部開口を閉塞する板状のカバーとで構成されており、レーザ走査光学系を構成しているレーザ光源、ポリゴンミラー、光学レンズ、光学ミラーをフレーム内に組み付けた後、フレームの上部開口にカバーをネジ等により固定して内部を封止する構成がとられている。
【０００３】
この種のレーザ走査装置では、ポリゴンミラーには高速回転駆動するための駆動源としてのモータが備えられており、これらポリゴンミラーとモータはポリゴンミラー構体として構成され、ポリゴンミラーと共にフレーム内に組み付けられる。そのため、ポリゴンミラーを高速回転させるべくモータが回転したときに、モータの回転振動によってフレームが振動し、この振動がフレームを介してレーザ走査光学系の光学レンズや光学ミラーに伝達され、光学レンズや光学ミラーが振動される。また、モータの振動はフレームに固定的に取着されているカバーを介しても光学レンズや光学ミラーに伝達される。このようにして光学レンズや光学ミラーが振動されると、レンズ面やミラー面が微小変動されるため、これらにおいて屈折、反射されるレーザ光の光路が変動され、感光面に描画する描画品質が低下する要因になる。あるいは反射したレーザ光に基づいてえられる同期信号の同期ずれが生じる要因にもなる。
【０００４】
このハウジングの振動による描画品質の劣化を防止するために、特許文献１では、フレームを第１のフレームと第２のフレームで構成し、第１のフレームにポリゴンミラー構体を搭載し、第２のフレームに光学部品を搭載した構成がとられている。そのためポリゴンミラー構体において生じた振動が第２のフレームには伝わりにくくなり、光学部品の振動を防止している。また、特許文献２ではフレームの共振周波数を調整する手段を設け、この調整手段を調整してポリゴンミラー構体で発生する振動によってフレームが共振しないようにし、光学部品の振動を防止している。
【特許文献１】特開平５−１９６８８４号公報
【特許文献２】特開平５−２６４９１６号公報
【発明の開示】
【発明が解決しようとする課題】
【０００５】
特許文献１の技術はハウジングを２つのフレームで構成しているため、ハウジングの構成が複雑なものになる。また、特許文献２の技術はハウジングにフレームの共振周波数を調整する手段を設けているため、ハウジングの構造が複雑になるとともにレーザ走査装置の小型化が難しくなる。したがって、引用文献１，２の技術ではレーザ走査装置のハウジングの構造が複雑化し、コスト高の原因になるという問題がある。
【０００６】
また、特許文献１，２には開示されていないが、この種のレーザ走査装置は通常ではフレームにカバーを固定してハウジング内を封止しているため、ポリゴンミラー構体で発生した振動はフレームのみならずカバーにも伝達する。そのため、フレームとカバーとで構成されるハウジングに特許文献１，２の技術を適用した場合には、フレームにおける振動の伝達を防止する上では有効であるが、カバーを介しての振動の伝達を防止することは難しい。また、カバーの振動によってカバーがフレームに固定されている箇所において両者の振動の違いに伴うビビリ振動が発生し、このビビリ振動によって光学レンズや光学ミラーが振動し、またハウジングから異音が発生するという問題も生じる。
【０００７】
本発明の目的は、ハウジングのカバーにおける振動を抑制ないし防止し、レーザ走査光学系における振動が原因となる描画品質の低下や同期ずれの発生等を防止したレーザ走査装置のハウジングを提供するものである。
【課題を解決するための手段】
【０００８】
本発明は、少なくともレーザ走査光学系を内装したフレームと、当該フレームの開口を覆ってフレームに固定されるカバーとで構成されたハウジングを備えるレーザ走査装置において、フレームとカバーとの間に両者間での振動の伝達を防止するためのカバー防振構造を介挿したことを特徴とする。例えば、カバー防振構造は弾性材で構成され、カバーは当該弾性材を介してフレームに固定される。
【発明の効果】
【０００９】
本発明のハウジングによれば、フレームとカバーとの間に介挿したカバー防振構造によってフレームとカバーとの間の振動を吸収して両者間での振動伝達を防止することができるので、レーザ走査光学系のポリゴンミラーが回転駆動した際に生じる振動によってフレームが振動することを抑制したときに、フレームに微小な振動が残されている場合でもフレームからカバーへ伝達する振動によってカバーが大きく振動することが防止できる。そのため、カバーの振動が再びフレームに伝達してフレームが大きく振動することも防止でき、フレーム内に搭載した光学レンズや光学ミラー等が振動されることが防止でき、描画品質の低下や同期ずれの発生等を防止した信頼性の高いレーザ走査装置が得られる。
【発明を実施するための最良の形態】
【００１０】
本発明におけるカバー防振構造は、例えばカバー防振構造を構成する弾性材は少なくとも２つの弾性部材でカバーを板厚方向に挟持し、一方の弾性部材をフレームに当接させ、他方の弾性部材をフレームに螺合される取付ネジに当接させる構成とする。
【００１１】
また、本発明においては、カバーとフレームとの間に微小間隔が存在する構成とする。この場合、カバーの周縁部を曲げ加工した曲げ部でフレームの周縁部を外側から覆う構成とすることが好ましい。この場合、フレームの周縁部に設けたフランジでカバーの曲げ部を外側から覆う構成とすることが好ましい。
【００１２】
また、本発明のハウジングは、レーザ走査光学系からハウジング外にレーザ光を出射させるためのスリットがフレームに開口されている場合に適用されるが、当該スリットがカバーに開口されている場合にも適用可能である。
【実施例１】
【００１３】
次に、本発明の実施例１を図面を参照して説明する。図１は実施例１のレーザ走査装置の一部を分解した斜視図、図２は図１のＡ−Ａ線に沿った方向の断面図である。レーザ走査装置のハウジング１は、異形状をした底壁２１とこの底壁２１の周縁に沿って立設した側壁２２とから浅皿状に形成されたフレーム２と、このフレーム２の上部開口を覆うように当該フレーム２に固定される板状のカバー３とで構成されている。前記フレーム２には、側壁２２の一側部にレーザビームを出射するレーザ光源ブロック４が取着され、また反対側の他側部にレーザ光を受光して同期信号生成用の信号を出力する同期信号ブロック５が取着される。前記フレーム２内には前記レーザ光源ブロック４から出射されたレーザ光を偏向走査させるためのレーザ走査光学系が内装されており、このレーザ走査光学系として、水平方向に偏向走査するための高速回転するポリゴンミラー６１及び当該ポリゴンミラー６１の回転駆動源としてのモータ６２を一体に構成したポリゴンミラー構体６と、前記ポリゴンミラー６１によって偏向走査されたレーザ光を水平方向に等速走査させるためのｆθレンズ７と、このｆθレンズ７を透過したレーザ光を前記フレーム２の底壁２１に開口したスリット２３を通してフレーム２の下側に配置される図には表れない感光ドラムの感光面に向けて反射させるために反射面が約４５度の角度で斜め下方に向けられた走査用反射ミラー８と、偏向走査されるレーザ光を前記同期信号ブロック５に向けて反射させるための同期用反射ミラー９とが配設されている。なお、前記スリット２３は前記走査用反射ミラー８の直下位置に開口されており、当該スリット２３にはカバーガラス２４が設けられ、スリット２を封止している。
【００１４】
前記レーザ光源ブロック４にはレーザ光源として基板４１に搭載されたレーザダイオード４２が設けられ、コリメータレンズ４３によって所要のビーム形状となるように整形されている。また、前記同期信号ブロック５は基板５１に受光手段としてフォトダイオード５２を搭載しており、同期用反射ミラー９で反射されたレーザ光を受光したときに所要の信号を出力する。前記レーザ光源ブロック４と同期信号ブロック５はフレーム２の側壁２２の外面に沿って延長されて止め金１０ａで支持された電気コード１０により相互に電気接続されるとともに、図には表れない制御装置に電気接続されている。
【００１５】
前記ポリゴンミラー構体６は、図２に示すようにモータ６２がフレームの底壁２１上に搭載され、符号は省略した複数のネジによって固定されている。フレーム２の底壁２１は十分な剛性をもって構成され、モータ６２及びポリゴンミラー６１の回転に伴って生じる振動が極力フレーム２の底壁２１を介して底壁２１の他の領域に搭載されているｆθレンズ７や走査用反射ミラー８、同期用反射ミラーに伝達することが防止される。
【００１６】
前記フレーム２の側壁２２の内面の一部ないし複数箇所、および側壁２２に近接した底壁２１の複数箇所にはフレーム２と一体にカバー取付部２５が形成されている。前記カバー取付部２５は一部においては側壁２２の一部を内方に膨出した構成とされ、側壁に近接した位置においては底壁に立設した円柱として構成されている。前記カバー３はこのカバー取付部２５に対応する位置にボス挿通孔３１があけられており、このボス挿通孔３１において前記カバー取付部２５に螺合される取付ネジ２６によって前記フレーム２に固定され、フレーム２の上部開口を閉塞し、フレーム２内に配設されている前記ポリゴンミラー構体６、ｆθレンズ７、走査用反射ミラー８、同期用反射ミラー９を封止している。
【００１７】
図３（ａ）は図２の要部（図２の左端部）の拡大断面図である。カバー取付部２５の上面には細径の円柱状をしたボス２５１が突設されており、このボス２５１の頂面には下方に向けてネジ孔２５２が開口され、前記取付ネジ２６が螺合できるようになっている。また、各ボス２５１にはゴム等の弾性材からなる円環状をした弾性ワッシャ２７が嵌合され、その上から前記ボス２５１の外径よりも若干大きくされている前記カバー３のボス挿通孔３１が挿通され、さらにその上から同一構成の別の弾性ワッシャ２７が嵌合されている。そして、上方から取付ネジ２６をネジ孔２５２に螺合する。取付ネジ２６の頭部は前記ボス２５１の外径よりも大径に、すなわち前記弾性ワッシャ２７の内径よりも大径に形成されているので、前記弾性ワッシャ２７及びカバー３がボス２５１から脱落することはない。これにより、カバー３は２つの弾性ワッシャ２７によってフレーム２に対して弾性的に固定されており、本発明におけるカバー防振構造が構成されている。
【００１８】
また、前記カバー３は、その周縁部がフレーム２には直接接触することがないように、カバー３の寸法及び弾性ワッシャ２７の軸方向の厚さ寸法等が適切に設計されている。この実施例１ではフレーム２の側壁２２の上縁内側に断面が矩形の逃げ溝２２１を形成し、カバー３の周縁部がこの逃げ溝２２１の内面に対して微小間隙を保った状態で配設されるようにしている。これにより、カバー３がフレーム２に対して直接接触することがない一方で、カバー３とフレーム２との間の微小間隙を通して外部の埃等がハウジング内に侵入することを抑制するようになっている。
【００１９】
この実施例１のハウジングを備えたレーザ走査装置では、レーザ走査時には、レーザ光源ブロック４のレーザダイオード４２から出射されたレーザ光はコリメートレンズ４３で所要のビーム形状に整形され、ポリゴンミラー６１に投射される。ポリゴンミラー６１はモータ６２によって水平方向に高速回転され、投射されたレーザ光を回転しながら反射することで当該レーザ光を偏向する。偏向されたレーザ光はｆθレンズ７で屈折されて水平方向に等速に走査され、さらに走査用反射ミラー８で反射されてフレーム２の底壁２１のスリット２３及びカバーガラス２４を通してフレーム２の下方に出射され、図には表れない感光ドラムの感光面に投射されて主走査され、かつ感光ドラムの軸転によって副走査され、所要の描画が実行される。また、ポリゴンミラー６１によって偏向されたレーザ光は所要の走査位置において同期用反射ミラー９で反射されて同期信号ブロック５のフォトダイオード５２で受光され、受光信号を水平同期信号を生成するための信号として出力する。
【００２０】
このように、レーザ走査装置の動作時にはポリゴンミラー構体６のモータ６２が回転駆動し、この回転駆動に伴って振動が生じるが、フレーム２はカバー３よりも厚肉で高剛性に形成することが容易であるので、ポリゴンミー構体６の振動が多少フレーム２に伝達した場合でもフレーム２が振動して変形することが抑制される。そのため、フレーム２の微小な振動によってもｆθレンズ７と走査用反射ミラー８の振動が防止され、偏向走査されるレーザ光がｆθレンズ７により屈折され、走査用反射ミラー８で反射される際に振動によるレーザ光の光路変動等への影響が生じることがなく、高い描画品質が確保できる。また、同様に同期用反射ミラー９の振動が防止され、高い精度の同期信号を得ることができる。
【００２１】
一方、ポリゴンミラー構体６の回転駆動に伴って生じる振動によってカバー３が振動されるおそれが生じる。カバー３はフレーム２に比較して薄い板材で形成されており、振動によって変形され易いため、ポリゴンミラー構体６で発生した振動はフレーム２への伝達が抑制される場合でも、フレーム２の微小な振動がカバー３に伝達したときにはカバー３は大きく振動されることがある。そして、カバー３は複数箇所において取付ネジによりフレーム２に固定されているため、カバー３の振動はこれら取付ネジを介してフレームに伝達され、ｆθレンズ７、走査用反射ミラー８、同期用反射ミラー９を振動させるおそれがある。しかし、実施例１では、カバー３は弾性ワッシャ２７を介して取付ネジ２６によりフレーム２に固定されており、カバー３とフレーム２との間の振動伝達を防止する構成となっているため、ポリゴンミラー構体６による振動によってフレーム２が微小に振動した場合でも、当該微小振動がフレーム２からカバー３に伝達することが防止される。また、仮に一部の振動がカバー３に伝達されてカバー３が振動した場合でも、当該振動がカバー３から再びフレーム２に伝達されてフレーム２が振動することが防止される。
【００２２】
すなわち、図３（ａ）に示したように、カバー３のボス挿通孔３１はフレーム２のカバー取付部２５に設けたボス２５１の外径よりも大径で、しかも２つの弾性ワッシャ２７により板厚方向に挟持された状態でカバー取付部２５に固定されているので、カバー３はカバー取付部２５、すなわちフレーム２に直接接触することなくフレーム２に固定された構造となり、フレーム２の振動は弾性ワッシャ２７により吸収され、カバー３に伝達されることが防止される。同様に、カバー３の振動は弾性ワッシャ２７により吸収され、フレーム２に伝達することが防止される。また、カバー３は周縁部においてもフレーム２に直接接触していないため、フレーム２又はカバー３の振動がカバー３又はフレーム２に伝達することはない。したがって、ポリゴンミラー構体６の回転駆動によってもカバー３が振動することが防止され、一方では振動がカバー３を介してフレーム２に伝達することも防止され、ｆθレンズ７、走査用反射ミラー８、同期用反射ミラー９が振動することが防止され、描画品質の劣化が回避される。また、カバー３の振動に伴なって生じるカバー３が発音源となるハウジング１での異音の発生が防止できる。
【００２３】
ここで、実施例１ではカバー３の周縁部を平坦にしてフレーム２の側壁２２の上縁内側に設けた逃げ溝２２１内に配設しただけであるためカバー３とフレーム２との微小間隙を通してハウジング１の内部と外部とが連通され易い構造となっており、この微小間隙を通して外部の埃がハウジング内に侵入することを防止する防塵性の点では必ずしも十分とは言えない。この点を改善すべく、図３（ｂ）はカバー３の周縁部をフレーム２の側壁２２の外側位置まで延長してほぼ直角に曲げた曲げ部３２を形成し、この曲げ部３２で側壁２２の上縁部を覆った構成である。カバー２と側壁２２との微小間隙が逆Ｌ字型をしているため防塵効果が高められる。図３（ｃ）は図３（ｂ）の構成に加えて、フレーム２の側壁２２の上縁の外側にＬ字型のフランジ２２２を一体に形成し、このフランジ２２２によってカバー３の曲げ部３２を覆った構成である。フレーム２のフランジ２２２と側壁２２との間にカバー３の曲げ部３２が進入されてラビリンスを構成しているので防塵効果をさらに高めることが可能である。
【００２４】
また、実施例１ではカバー３の周縁部とフレーム２の側壁２２の上縁部との微小間隙を小さくして防塵性を高めた場合には、カバー３が微小振動したときにカバー３の周縁部とフレーム２の側壁２２の上縁部とが直接接触してビビリ振動が生じるおそれがある。図
はビビリ振動の防止を図ったハウジングの要部の拡大断面図である。図４（ａ）〜（ｃ）はそれぞれ図３（ａ）〜（ｃ）の構造の変形例であるので同一部分には同一符号を付して詳細な説明は省略するが、カバー３の周縁部とフレーム２の側壁２２の上縁部との間にゴムあるいはスポンジ状の弾性シール材２８を介挿したものである。この弾性シール材２８の弾性変形による振動吸収効果によってカバー３が微小振動した場合でもカバー３の周縁部の振動を弾性材によって吸収し、ビビリ振動を防止するとともにビビリ振動に伴うビビリ音の発生を防止する。同時にカバー３の周縁部と側壁２２との間の微小間隙を封止し、防塵効果を高めることができる。
【００２５】
また、図４に示したような弾性シール材２８を配設した場合には、当該弾性シール材２８を配設するための工数がかかるという懸念があるが、図示は省略するが、カバーとフレームとの間での振動の伝達が行われことがない柔軟なテープをカバーとフレームとの間にわたって貼り付け、当該テープによって両者間の微小間隙を塞ぐようにすれば防振効果と共に防塵効果を高めることもでき、さらに工数の増加も少なくて済む。
【００２６】
ここで、実施例１の弾性ワッシャ２７に代えて、円形プーリ形状をした弾性ブッシュを用いてもよい。円形の弾性ブッシュは既に広く知られている部品であるので図示は省略するが、弾性ブッシュの場合には弾性ブッシュを周縁溝を利用してカバー３のボス挿通孔３１内に嵌入し、弾性ブッシュの中心孔をボス２５１に嵌合した上で取付ネジ２６によりカバー取付部２５に対して固定すればよく、カバー防振構造の部品点数を低減し、組立工数を低減する上で有利である。
【実施例２】
【００２７】
図５は実施例２のレーザ走査装置の図２と同様な断面図である。実施例２ではプリンタ等の描画装置側の要求によってレーザ走査装置の上側に感光ドラム等を配設する場合に適用されるもので、ポリゴンミラー構体６及びｆθレンズ７によって偏向走査されるレーザ光を外部の感光面に向けて出射させるためのスリット３３をカバー３に設けている。ハウジング１は実施例１と同様に上部を開口した浅皿状をしたフレーム２と、このフレーム２の上部開口を覆うカバー３とで構成されている。前記フレーム２内にはポリゴンミラー構体６、ｆθレンズ７、走査用反射ミラー８、及び図には表れない同期用反射ミラーが搭載される。これらの構成及びその他の構成は実施例１と同じである。ただし、実施例２では前記走査用反射ミラー８は反射面を約４５度上方に向けて配設され、偏向走査されるレーザ光をフレーム２の上部開口に向けて反射するように形成されている。その一方で前記フレーム２の底壁にはレーザ光を外部に出射させるためのスリットは設けられていない。
【００２８】
一方、カバー３は前記フレーム２の上部開口を封止するようにフレーム２に固定されている。このカバー３には前記走査用反射ミラー８で反射されたレーザ光を透過させるスリット３３が開口されるとともに、このスリット３３を封止する透明なカバーガラス３４がカバーの上面に取着されている。前記カバー３はフレーム２に設けられたカバー取付部２５において取付ネジ２６によりフレームに固定されているが、このカバー３の取付構造は実施例１と同じであり、弾性ワッシャ２７によってフレーム２とカバー３との相互間での振動の伝達が防止されるようになっている。
【００２９】
このようにレーザ光を透過するためのスリット３３とカバーガラス３４がカバー３に設けられたレーザ走査装置では、装置を駆動したときには偏向走査されたレーザ光は走査用反射ミラー８で反射された後にカバー３のスリット３３及びカバーガラス３４を透過してレーザ走査装置の上方に配設されている感光ドラム等の感光面に投射され、描画を行うことになる。このとき、ポリゴンミラー構体６の駆動に伴ってカバーが振動すると、これと一体にカバーガラス３４が振動して変位され、カバーガラス３４を透過するレーザ光の光路が変化され、描画品質が低下する要因になる。しかしながら、実施例２では、カバー３は実施例１と同様にフレーム２に対して弾性ワッシャ２７によって弾性的にフレーム２に固定されているので、ポリゴンミラー構体６において生じた振動によってもカバー３の振動は防止される。そのため、カバーガラス３４が振動によって変位するようなことはなく、カバーガラス３４を透過するレーザ光の光路が変化して描画品質が低下することはない。また、フレーム２の防振によってフレーム２内に内装されている同期用反射ミラーの振動が防止され、同期ずれが生じるようなこともない。
【００３０】
実施例２においてもカバー３とフレーム２との間の振動を吸収して両者間での振動伝達を防止するためにカバー３をフレーム２に固定する構造は図３及び図４に示した種々の構成が採用できることはいうまでもない。
【００３１】
本発明におけるハウジングを構成しているフレームは必ずしも浅皿状に形成されるものではなく、またカバーは必ずしも板状に形成されるものではない。例えば、フレームが板状に形成され、このフレームに逆浅皿状をしたカバーを固定する構成のハウジングにも適用できる。あるいは、フレームとカバーがそれぞれ対向した浅皿状に形成された構成のハウジングにも適用できる。
【図面の簡単な説明】
【００３２】
【図１】レーザ走査装置の一部を分解した外観斜視図である。
【図２】図１のＡ−Ａ方向に沿って切断した断面図である。
【図３】図１の要部の拡大断面図及びその変形例の拡大断面図である。
【図４】図３の各部の変形例の拡大断面図である。
【図５】実施例２の図２と同様の断面図である。
【符号の説明】
【００３３】
１  ハウジング
２  フレーム
３  カバー
４  レーザ光源ブロック
５  同期信号ブロック
６  ポリゴンミラー構体
７  ｆθレンズ
８  走査用反射ミラー
９  同期用反射ミラー
１０  電気コード
２１  底壁
２２  側壁
２３  スリット
２４  カバーガラス
２５  カバー取付部
２６  取付ネジ
２７  弾性ワッシャ
２８  弾性シール材
３１  ボス挿通孔
３２  曲げ部
３３  スリット
３４  カバーガラス
【図１】
2008261963.tif 000003
【図２】
2008261963.tif 000004
【図３】
2008261963.tif 000005
【図４】
2008261963.tif 000006
【図５】
2008261963.tif 000007